(57)【特許請求の範囲】
【請求項１】
設置台に設置した際、物の載置面がほぼ水平となる平坦部とほぼ垂直となる垂直壁部と斜面となる傾斜部とを有してなり、前記平坦部の下側に前記傾斜部を配し、前記平坦部の上側に前記垂直壁部を配する略雛壇形状の商品陳列棚であって、最上部が平坦部であり、該最上部の平坦部の下側は垂直壁部であり、複数の前記傾斜部の傾斜面が略同一の仮想平面内に位置することを特徴とする商品陳列棚。
【請求項２】
更に、前記傾斜部内であって、該傾斜部の下側に板を着脱自在とする横溝を設けたことを特徴とする請求項１記載の商品陳列棚。
【請求項３】
更に、前記傾斜部に突起状物を着脱自在に設けたことを特徴とする請求項１記載の商品陳列棚。
【請求項４】
前記物の載置面は上部から下部方向に、末広がりに形成され、且つ角の設置場所に設置可能としたことを特徴とする請求項１〜３のいずれか１項に記載の商品陳列棚。
【発明の詳細な説明】
【０００１】
【発明の属する技術分野】
本発明は、主にスーパー、百貨店、専門店、コンビニエンスストアー等の店内で商品を陳列するのに用いられ、商品の特性により陳列を多面的に変えることができる商品陳列棚に関するものである。
【０００２】
【従来の技術】
従来、スーパー、百貨店、専門店等の店内で商品を陳列する方法は、最も単純なものとして、(1) 水平の陳列台に仕切りを設け、その仕切りごとに商品を並べたり、箱等に商品を並べ、この箱等ごと水平の陳列台に載せたものがある。また、(2) 傾斜している陳列台に仕切りや雛壇を設け、その仕切りや雛壇ごとに商品を並べたり、箱等に商品を並べこの箱等ごと直接傾斜の陳列台に載せたものがある。また、(3) 水平あるいは傾斜を選択出来、しかも傾斜角も選択できる角度選択型陳列台に仕切りを設けて、その仕切りごとに商品を並べたり、箱等に商品を並べこの箱等ごと角度選択陳列台に載せたものもある。更に、(4) 上記の(2) 、(3) の傾斜している陳列台の代わりに、仕切り板や雛壇を予め設けてある商品陳列棚を台に載せ、この仕切り板や雛壇に直接商品を並べるものもある。
【０００３】
これらスーパー等の店内での商品陳列方法は、それにより商品の売れ行きが左右されることが多いから、上記した方法以外にも工夫を凝らし、様々な方法が取られる。しかし、その基本とする所は、水平の陳列台、傾斜している陳列台、角度選択型陳列台等の各種の陳列台に、仕切り板や箱等により商品を仕切り陳列するか、仕切り板や雛壇を設けてある商品陳列棚を設置台に載せ、それら仕切り板や雛壇により商品を仕切り陳列する方法である。
【０００４】
【発明が解決しようとする課題】
上記(1) 〜(3) の商品陳列方法では、各種陳列台に合わせた仕切り板や箱等を用意する必要があり、それら仕切り板や箱等は、対応した陳列台以外の陳列台には全く使用出来なかったり、あるいは使用出来ても、見た目勝負の色彩の強い商品陳列では、結局使用出来ないことが多い。このため、仕切り板や箱等は各種形状のもの及びその種類における各サイズのものが必要になり、模様替えの度に不用となる仕切り板や箱等が出てきたり、新たに購入する必要が生じる。また、逆に不用となった仕切り板や箱等は再び使用する機会もあると想定されるため、廃棄出来ず保管することになる確率が高く、そのための保管スペースが必要になる。
【０００５】
また、(4) の商品陳列棚は、予め仕切り板や雛壇が設けられているから、取扱いが容易で、上記した(1) 〜(3) の商品陳列方法の不都合が少なくなり都合がよい。しかし、最近の傾向である商品の多様化、競争激化による頻繁な模様替えに対して、この商品陳列棚は、予め設けられた仕切り板や雛壇を変更することが困難であるから、十分に対応出来ず、様々な形状の商品陳列棚が必要となる。結局、上記した(1) 〜(3) の商品陳列方法の不都合な点が新たな問題となる。
【０００６】
従って、本発明の目的は、商品の多様化、頻繁な模様替えに対応可能で、不用となったり、新たに購入する必要性や保管スペースも少なくすることができる商品陳列棚を提供することにある。
【０００７】
【課題を解決するための手段】
かかる状況において、本発明者らは、鋭意検討を行った結果、設置した際、物の載置面が平坦部と垂直壁部と傾斜部とを有し、平坦部の一端部に垂直壁部を配し、他端部に傾斜部を配すると、平坦部と傾斜部との双方を有効に利用できるようになって、種々の形状の商品や様々な商品陳列を可能にすることを見出し、本発明を完成するに至った。
【０００８】
すなわち、本発明の請求項１に記載の商品陳列棚は、設置台に設置した際、物の載置面がほぼ水平となる平坦部とほぼ垂直となる垂直壁部と斜面となる傾斜部とを有してなり、前記平坦部の下側に前記傾斜部を配し、前記平坦部の上側に前記垂直壁部を配する略雛壇形状の商品陳列棚であって、最上部が平坦部であり、該最上部の平坦部の下側は垂直壁部であり、複数の前記傾斜部の傾斜面が略同一の仮想平面内に位置することを特徴とする。
【０００９】
請求項２に記載の発明は、前記傾斜部内であって、該傾斜部の下側の下側に、板を着脱自在とする横溝を設けたことを特徴とする。
【００１０】
請求項３に記載の発明は、前記傾斜部に、突起状物を着脱自在としたことを特徴とする。
【００１１】
請求項４に記載の発明は、前記物の載置面が上部から下部に向かいに従い末広がりに形成され、角の設置場所に設置可能としたことを特徴とする。
【００１２】
【発明の実施の形態】
以下、実施の形態を挙げて本発明を図１〜図１２に基づいて詳述する。
図１は本発明の実施の形態である商品陳列棚を示す斜視図、図２は図１の商品陳列棚の利用状態を示す側面図、図３は図１の商品陳列棚を設置する陳列ワゴンを示す側面図である。図面において、商品陳列棚１は、設置台２に傾斜させて設置した際、物の載置面３がほぼ水平となる平坦部４とほぼ垂直となる垂直壁部５と斜面となる傾斜部６とを有してなり、この平坦部４の一端部４ａに垂直壁部５及び傾斜部６のいずれか一方を配し、平坦部４の他端部４ｂに垂直壁部５及び傾斜部６のいずれか他方を配してなる略雛壇形状であって、複数の傾斜部６の傾斜面が略同一の仮想平面６０内に位置するものである。すなわち、複数の傾斜部６の傾斜面の傾きは全て同じである。
【００１３】
設置台２は、商品陳列棚１がその有する機能を発揮できるものであれば、特に限定がない。この実施例での設置台２は、図２に示すような固定の陳列台でもよいが、図３に示すような陳列ワゴン１０であると、自在に移動させて任意の場所に設置することができるし、載置台１１の傾斜角を調整できて極めて都合がよい。すなわち、この陳列ワゴン１０は、載置台１１が傾斜できるようにワゴン本体１２に蝶番１３により取り付けられている。そして、この載置台１１にはバー１４が軸１５を支点として回転自在に軸支され、このバー１４は調整ボルト１６により、ワゴン本体１２の支柱１７に任意位置で固定でき、従って、載置台１１は傾斜角α＝１５〜３５度の範囲でいかようにも固定できる。更に、ワゴン本体１２下部にキャスター１８が取り付けられ、自在に移動させて任意の場所に設置することができる。
【００１４】
前記商品陳列棚１は、陳列ワゴン１０の傾斜した載置台１１に設置して使用されるから、物の載置面３は傾斜した状態が通常の使用状態となり、その時の最上部が平坦部４となっており、その下側に垂直壁部５があり、更にその下側に平坦部４があり、その下側に傾斜部６があり、その下側に垂直壁部５があり、その下側に平坦部４がある。以下、傾斜部６、垂直壁部５、平坦部４の順に配設されている。そして、最下部は傾斜部６となって、この傾斜部６の下側に陳列商品の落下防止のための止め板２０がある。なお、平坦部４は、端は別として、常に一端部４ａが垂直壁部５で、他端部４ｂが傾斜部６となっている。
【００１５】
物の載置面３の傾斜部６の下側には、傾斜方向と直交する方向に横溝２１が刻まれ、その横溝２１には転び止め用の板２２が係止、係脱自在となっており、必要に応じて横溝２１に転び止め用の板２２に係止され、商品２３（図６参照）が保持される。
【００１６】
また、前記商品陳列棚１は、図４に示すように、物の載置面３の傾斜部６の下側には、傾斜方向と直交する方向に突起状部２４が設けられて、この突起状部２４により商品２３が保持される。なお、この突起状部２４は、傾斜部６の下側に傾斜方向と直交する方向に着脱自在に設けられても良く、この場合には、必要に応じて傾斜部６の下側に突起状部２４が設けられ、商品２３が保持されるから誠に都合がよい。
【００１７】
次に、上記構成になる商品陳列棚１の使用方法を説明する。
まず、設置場所に適した設置台２あるいは陳列ワゴン１０を選択し、これらの設置台２あるいは陳列ワゴン１０の載置台１１に適合する商品陳列棚１を選択すると共に、その必要数を用意する。そして、陳列する商品２３がリンゴ、ジャガイモ、ミカン等で傾斜／ボリューム陳列としたい場合は、図２に示すように、設置台２を選択した場合は、止め板２０が下方に、最上部の平坦部４が上方に来るように、設置台２に商品陳列棚１を載置し、物の載置面３上に上記した商品２４を載せる。また、陳列ワゴン１０を選択した場合は、その載置台１１を商品陳列棚１に適合するように傾斜させ、設置台２の場合と同様に載置台１１上に商品陳列棚１を載置し、商品２３を載せる。
【００１８】
陳列する商品２３が長尺物である場合は、図５に示すように、物の載置面３上に長尺物の商品２３を載せる。
【００１９】
陳列する商品２３がパック物、その他で斜面陳列とし、商品２３の転び止めをしたい場合は、図６及び図７に示すように、商品陳列棚１の横溝２１に転び止め用の板２２を係止し、その状態の物の載置面３上に上記商品２３を載せ、転び止め用の板２２にて商品２３の転び止めをする。
【００２０】
また、陳列する商品２３を横方向に仕切りをしたい場合には、図８に示すように、物の載置面３の傾斜部６に縦溝２５を設け、この縦溝２５に仕切り用の板２６を係止、係脱自在とし、必要に応じて縦溝２５に仕切り用の板２６を係止し、商品２３を仕切る。
【００２１】
また、陳列する商品２３を商品２３の転び止めをし、かつ横方向に仕切りをしたい場合には、図９に示すように、横溝２１に転び止め用の板２２を係止し、更に、縦溝２５に転び止め用の板２２を避けた形状の仕切り用の板２６を係止、係脱自在としているから、必要に応じて縦溝２５に仕切り用の板２６を係止し、商品２３を仕切る。
以上のように、商品陳列棚１は商品の特性、設置場所の状況等に合わせて種々の使い勝手がある。
【００２２】
図１０〜図１２は本発明の他の実施の形態の商品陳列棚３０ａ、３０ｂを示すものであり、この商品陳列棚３０ａ、３０ｂと図１〜図９に示した商品陳列棚１との相違点は、物の載置面３ａが上部から下部に向かいに従い末広がりに形成された商品陳列棚半体１ａを、直角又は角の設置場所の角度に合わせて突き合わせて設置し、角の設置場所に設置可能とし、あるいは２つの商品陳列棚半体１ａを角の設置場所用に予め突き合わせ接続し一体ものとした点にある。直角又は角の設置場所としては、例えば、複数の陳列ワゴンを東西方向に並べ、また、複数の陳列ワゴンを南北方向に並べた場合の該東西方向列と南北方向列の突き合わせ端部に形成される角部が挙げられる。また、商品陳列棚半体１ａは両端の外形線２８、２９で形成される角度は平面視で直角である。図１０は一体ものの商品陳列棚３０ａであり、中央の下半部２７ａの角が削り取られた形状をしており、図１１も一体ものの商品陳列棚３０ｂであり、角部２７ｂにアール（Ｒ）を付けた形状をしている。なお、図１２は図１０の商品陳列棚３０ａの使用状態を示すものである。その他の構成作用は、図１〜図９に示した商品陳列棚１とほぼ同様なので、図に符号を付してその説明を省略する。
【００２３】
以上、本発明の実施形態を説明したが、具体的な構成はこれに限定されず、本発明の要旨を逸脱しない範囲での変更、追加は本発明の範囲内である。
【００２４】
【発明の効果】
以上詳述したように、請求項１の発明によれば、平坦部の一端部に垂直壁部を、他端部に傾斜部を配してあるから、平坦部及び傾斜部のそれぞれの単独使用並びに併用が可能となり、更に、傾きが等しい複数の傾斜部のみの使用も可能となって、種々の形状の商品や様々な商品陳列を可能にする。従って、商品の多様化、頻繁な模様替えに対応可能で、不用となったり、新たに購入する必要性や不用となった陳列用具の保管スペースも少なくすることができる。
【００２５】
請求項２の発明によれば、利用目的に合わせて溝の位置や方向やその溝に嵌める板の形状を定め、溝に板を嵌めれば上記利用目的を果たせる。従って、上記効果に加え、傾斜面に形成される溝に板を嵌めることで得られる目的、例えば、その板により商品の落下防止あるいは商品の仕切りなど、様々な目的を果たすことが可能となる。
【００２６】
請求項３の発明によれば、傾斜部に設けた突起状物により商品の転びを防止できる。従って、上記効果に加え、溝に板を嵌めた場合とは異なる商品の陳列が可能となる。
【００２７】
請求項４の発明によれば、角の設置場所に対応できる。従って、角の設置場所であっても、上記効果をそのまま享受できる。
【図面の簡単な説明】
【図１】本発明の実施の形態である商品陳列棚を示す斜視図である。
【図２】図１の商品陳列棚の利用状態を示す側面図である。
【図３】図１の商品陳列棚を設置する陳列ワゴンを示す側面図である。
【図４】本発明の実施の形態である商品陳列棚の変形例を示す側面図である。
【図５】本発明の実施の形態である商品陳列棚の利用状態を示す側面図である。
【図６】本発明の実施の形態である商品陳列棚の利用状態を示す側面図である。
【図７】本発明の実施の形態である商品陳列棚の利用状態を示す側面図である。
【図８】本発明の実施の形態である商品陳列棚の利用状態を示す側面図である。
【図９】本発明の実施の形態である商品陳列棚の利用状態を示す側面図である。
【図１０】本発明の他の実施の形態である商品陳列棚を示す側面図である。
【図１１】本発明の他の実施の形態である商品陳列棚を示す側面図である。
【図１２】本発明の他の実施の形態である商品陳列棚の利用状態を示す側面図である。
【符号の説明】
１、３０ａ、３０ｂ      商品陳列棚
１ａ                    商品陳列棚半体
２                      設置台
３                      物の陳列面
４                      平坦部
４ａ                    一端部
４ｂ                    他端部
５                      垂直壁部
６                      傾斜部
１０                    陳列ワゴン
１１                    載置台
１２                    陳列ワゴン
１３                    蝶番
１４                    バー
１５                    軸
１６                    調整ボルト
１７                    支柱
１８                    キャスター
２０                    止め板
２１                    横溝
２２                    転び止め用の板
２３                    商品
２４                    突起状部
２５                    縦溝
２６                    仕切り用の板
２７ａ、２７ｂ          中央の下方部
２８、２９              外形線
【図１】
0004574775.tif 000002
【図２】
0004574775.tif 000003
【図３】
0004574775.tif 000004
【図４】
0004574775.tif 000005
【図５】
0004574775.tif 000006
【図６】
0004574775.tif 000007
【図７】
0004574775.tif 000008
【図８】
0004574775.tif 000009
【図９】
0004574775.tif 000010
【図１０】
0004574775.tif 000011
【図１１】
0004574775.tif 000012
【図１２】
0004574775.tif 000013